(57)【特許請求の範囲】
【請求項１】
インクを噴射する液体噴射ヘッドと、
前記液体噴射ヘッドが収容される筐体とは別体に構成されて、係合部を有し、前記インクを貯留するインクタンクと、
前記液体噴射ヘッドと前記インクタンクとを連通する液体チューブと、
鉛直方向における前記筐体の上部に回動支点が設けられて、回動する回動部と、
前記鉛直方向における前記筐体の上端部に形成されて、前記係合部と係合可能な被係合
部と、を備え、
前記係合部は、前記インクタンクから突出し、前記インクタンクの幅方向に延びる第１の板状部と、前記第１の板状部から前記鉛直方向下側に突出し、前記インクタンクの幅方向に延びる第２の板状部とを有し、前記被係合部は、前記上端部から前記鉛直方向上側に突出し、前記第２の板状部と係合可能な面を有し、
前記インクタンクは、前記筐体に着脱可能に装着されることを特徴とする記録装置。
【請求項２】
インクを噴射する液体噴射ヘッドと、
前記液体噴射ヘッドが収容される筐体とは別体に構成されて、係合部を有し、前記インクを貯留するインクタンクと、
前記液体噴射ヘッドと前記インクタンクとを連通する液体チューブと、
鉛直方向における前記筐体の上部に回動支点が設けられて、回動する回動部と、
前記鉛直方向における前記筐体の上端部に形成されて、前記係合部と係合可能な被係合
部と、
前記筐体の上部に備えられ、原稿が載置される原稿台と、
前記筐体内部に備えられて、前記原稿に描かれた画像を読み取るセンサーユニットと、を備え、
前記回動部は、前記原稿台を覆うことができる原稿台カバーであり、前記原稿台カバー
が前記原稿台を覆う状態において、前記鉛直方向における前記上端部の位置は、前記原稿
台カバーの下面の位置にあり、
前記インクタンクは前記筐体に着脱可能に装着され、前記インクタンクが前記筐体に装着されて、前記原稿台カバーが前記原稿台を覆う状態において、前記原稿台カバーに前記係合部が重ならないように切り欠き部が形成されていることを特徴とする記録装置。
【請求項３】
請求項２に記載の記録装置であって、
前記係合部は、前記インクタンクから突出する第１の突出部と、前記第１の突出部から
前記鉛直方向下側に突出する第２の突出部とを有するフックであることを特徴とする記録
装置。
【請求項４】
請求項２に記載の記録装置であって、
前記係合部は、ネジが貫通するための貫通孔が形成された突出部であり、前記被係合部
は、ネジ穴であることを特徴とする記録装置。
【請求項５】
請求項２に記載の記録装置であって、
前記係合部は、前記回動部と前記筐体との間の筐体の縁の被係合部と係合することを特
徴とする記録装置。
【請求項６】
請求項１から請求項５のいずれか一項に記載の記録装置であって、
前記液体チューブは、前記回動部と前記筐体との隙間を利用して、前記液体噴射ヘッド
と前記インクタンクとを連通することを特徴とする記録装置。
【請求項７】
請求項１から請求項６のいずれか一項に記載の記録装置であって、
前記インクタンクは、インクを貯留する貯留容器と前記貯留容器を収容する収容ケースとを備えたことを特徴とする記録装置。
【発明の詳細な説明】
【技術分野】
【０００１】
本発明は、記録装置に関する。
【背景技術】
【０００２】
記録装置としてのインクジェットプリンターは、液体噴射ヘッドからインクを噴射して用紙などの記録媒体に文字や画像を記録する。液体噴射ヘッドから噴射されるインクは、液体噴射ヘッドを備えて往復移動するキャリッジに搭載されたインクカートリッジやキャリッジの外側で筐体内に備えられたインクカートリッジから供給される。
オフィス向けまたは業務用に提供されるインクジェットプリンターでは、比較的大量の印刷に対応させるために、大容量のインクカートリッジを配置する必要性が生じている。
そこで、例えば特許文献１では、筐体の外側に配置されたインクタンクから液体噴射ヘッドにインクを供給する。
【先行技術文献】
【特許文献】
【０００３】
【特許文献１】特開２００６−２１２８４５号公報
【発明の概要】
【発明が解決しようとする課題】
【０００４】
しかしながら、特許文献１のインクタンクは、インクジェットプリンターの筐体とは別体に構成されている。また、インクタンクと筐体とは、インクタンクから液体噴射ヘッドにインクを供給するための液体チューブによって接続されている。
そのため、インクジェットプリンターを移動させるときは、筐体とインクタンクとが液体チューブによって接続されたまま、使用者は、筐体とインクタンクとをそれぞれ別々に保持しながら運ばなくてはならない。このように、インクジェットプリンターの筐体と筐体の外部に配置されたインクタンクとを、使用者が持ち運ぶときの作業が容易ではないという課題がある。
【課題を解決するための手段】
【０００５】
本発明は、上述の課題の少なくとも一部を解決するためになされたものであり、以下の形態または適用例として実現することが可能である。
【０００６】
［適用例１］インクを噴射する液体噴射ヘッドと、前記液体噴射ヘッドが収容される筐
体とは別体に構成されて、係合部を有し、前記インクを貯留するインクタンクと、前記液
体噴射ヘッドと前記インクタンクとを連通する液体チューブと、鉛直方向における前記筐
体の上部に回動支点が設けられて、回動する回動部と、前記筐体の一部に形成されて、前記係合部と係合可能な被係合部と、を備え、前記インクタンクは、前記筐体に着脱可能に装着されることを特徴とし、さらに、被係合部は、鉛直方向における筐体の上端部に形成されることを特徴とする。
【０００７】
本適用例によれば、インクタンクは係合部を有し、鉛直方向における筐体の上端部に形成されて、係合部と係合可能な被係合部を備え、インクタンクは、筐体に着脱可能に装着される。これにより、インクタンクを筐体に装着し、筐体とインクタンクとを一体化した状態で、持ち運ぶことができる。従って、筐体とインクタンクとを、使用者が持ち運ぶときの作業が容易となる。
【０００８】
［適用例２］前記筐体の上部に備えられて、原稿が載置される原稿台と、前記筐体内部に備えられて、前記原稿に描かれた画像を読み取るセンサーユニットと、を備え、前記回動部は、前記原稿台を覆うことができる原稿台カバーであり、前記原稿台カバーが前記原稿台を覆う状態において、前記鉛直方向における前記上端部の位置は、前記原稿台カバーの下面の位置にあることを特徴とする上記記録装置。
【０００９】
本適用例によれば、インクタンクに充填されているインクの量が多く、重いインクタンクを、原稿台カバーの下面の位置にある筐体の上端部で支持することができる。そのため、インクタンクを支持するための構成部分を筐体の側面に形成する必要がないので、記録装置が大型化することを抑制したり、記録装置の製造コストが増加したりすることを抑制できる。
【００１０】
［適用例３］前記回動部は、前記筐体とは別体に構成されて、画像を読み取るセンサーユニットが収容された読み取り部筐体であることを特徴とする上記記録装置。
【００１１】
本適用例によれば、インクタンクに充填されているインクの量が多く、重いインクタンクを、読み取り部筐体の下面の位置にある筐体の上端部で支持することができる。そのため、インクタンクを支持するための構成部分を筐体の側面に形成する必要がないので、記録装置が大型化することを抑制したり、記録装置の製造コストが増加したりすることを抑制できる。
【００１２】
［適用例４］前記係合部は、前記インクタンクから突出する第１の突出部と、前記第１の突出部から前記鉛直方向下側に突出する第２の突出部とを有するフックであることを特徴とする上記記録装置。
【００１３】
本適用例によれば、第２の突出部が被係合部と係合または非係合の状態となる。
【００１４】
［適用例５］前記係合部は、ネジが貫通するための貫通孔が形成された突出部であり、前記被係合部は、ネジ穴であることを特徴とする上記記録装置。
【００１５】
本適用例によれば、ネジを介して、突出部とネジ穴とが係合し、ネジを取り除いた状態では、突出部とネジ穴とは非係合となる。
【００１６】
［適用例６］前記係合部は、前記インクタンクから突出し、前記インクタンクの幅方向に延びる第１の板状部と、前記第１の板状部から前記鉛直方向下側に突出し、前記インクタンクの幅方向に延びる第２の板状部とを有し、前記被係合部は、前記上端部から前記鉛直方向上側に突出し、前記第２の板状部と係合可能な面を有することを特徴とする上記記録装置。
【００１７】
本適用例によれば、第２の板状部と被係合部の面とが係合した状態または非係合の状態となる。
【００１８】
［適用例７］前記インクタンクが前記筐体に装着されて、前記原稿台カバーが前記原稿台を覆う状態において、前記原稿台カバーに前記係合部が重ならないように切り欠き部が形成されていることを特徴とする上記記録装置。
【００１９】
本適用例によれば、原稿台カバーは、係合部と重ならないので、鉛直方向における原稿台カバーの下面が筐体の上端部の位置になる。そのため、原稿台カバーによって原稿台を覆うことができる。
【００２０】
［適用例８］前記フックは、さらに、前記第２の突出部の先端が球形状であり、前記被係合部は、貫通孔であることを特徴とする上記記録装置。
【００２１】
本適用例によれば、筐体に対するインクタンクの姿勢が変化しても、第２の突出部と貫通孔との係合状態を維持できる可能性が高い。
【００２２】
［適用例９］前記フックは、さらに、前記第２の突出部から前記インクタンク側に突出する第３の突出部を有し、前記被係合部は、前記上端部を形成する壁部であることを特徴とする上記記録装置。
【００２３】
本適用例によれば、筐体に対するインクタンクの姿勢が変化しても、第３の突出部と壁面との係合状態を維持できる。
【００２４】
［適用例１０］前記面は、前記上端部の面に対する傾斜面であることを特徴とする上記記録装置。
【００２５】
本適用例によれば、筐体に対するインクタンクの姿勢が変化しても、第２の板状部と傾斜面との係合状態を維持できる。
【００２６】
［適用例１１］前記面は、湾曲面であることを特徴とする上記記録装置。
【００２７】
本適用例によれば、筐体に対するインクタンクの姿勢が変化しても、第２の板状部と湾曲面との係合状態を維持できる。
【００２８】
［適用例１２］前記係合部は、さらに、前記第２の板状部から前記インクタンク側に突出し、前記インクタンクの幅方向に延びる第３の板状部を有し、前記被係合部は、前記上端部を形成する壁部であることを特徴とする上記記録装置。
【００２９】
本適用例によれば、筐体に対するインクタンクの姿勢が変化しても、第３の板状部と壁面との係合状態を維持できる。
【００３０】
［適用例１３］前記インクタンクは、インクを貯留する貯留容器と前記貯留容器を収容する収容ケースとを備えたことを特徴とする上記記録装置。
【００３１】
本適用例によれば、収容ケースによって剛性を高めることができるので、インクタンクが自重によって変形することを抑制できる。また、収容ケースによって貯留容器を覆うことができるので、貯留容器が外力により損傷することを抑制できる。
【図面の簡単な説明】
【００３２】
【図１】（ａ）は、実施形態１における記録装置の外観斜視図、（ｂ）は、インクタンクの外観斜視図、（ｃ）は、フックが貫通孔に係合する部分の断面図。
【図２】（ａ）は、実施形態２における記録装置の外観斜視図、（ｂ）は、インクタンクの外観斜視図、（ｃ）は、係合部がネジを介してネジ穴に係合する部分の断面図。
【図３】（ａ）は、実施形態３における記録装置の外観斜視図、（ｂ）は、インクタンクの外観斜視図、（ｃ）は、フックが貫通孔に係合する部分の断面図。
【図４】（ａ）は、実施形態４における記録装置の外観斜視図、（ｂ）は、インクタンクの外観斜視図、（ｃ）は、フックが壁部に係合する部分の断面図。
【図５】（ａ）、（ｂ）は、実施形態５における記録装置の外観斜視図、（ｃ）は、係合部がネジを介してネジ穴に係合する部分の断面図。
【図６】実施形態６における記録装置の外観斜視図。
【図７】（ａ）は、実施形態７における記録装置の外観斜視図、（ｂ）は、係合部がネジを介してネジ穴に係合する部分の断面図。
【図８】（ａ）は、実施形態８における記録装置の外観斜視図、（ｂ）は、インクタンクの外観斜視図、（ｃ）は、第２の板状部が柱状部材に係合する部分の断面図。
【図９】（ａ）は、第２の板状部が傾斜面に係合する部分の断面図、（ｂ）は、第２の板状部が湾曲面に係合する部分の断面図。
【図１０】（ａ）は、第２の板状部が湾曲面に係合する部分の断面図、（ｂ）は、第２の板状部が溝部に係合する部分の断面図。
【図１１】（ａ）は、実施形態９における記録装置の外観斜視図、（ｂ）は、インクタンクの外観斜視図、（ｃ）は、第３の板状部が壁部に係合する部分の断面図。
【図１２】実施形態１０における記録装置の外観斜視図。
【発明を実施するための形態】
【００３３】
以下、本発明の実施形態について、図面を参照して説明する。以下の説明において、上部、下部、上面、下面、上端部、下端部、上側、下側の記載は、鉛直方向における位置を示す。
【００３４】
（実施形態１）
図１（ａ）は、実施形態１における記録装置としてのインクジェットプリンター（以降は、プリンターという）１を正面側から見た外観斜視図である。筐体２の内部には、軸やレールなどのガイド部（不図示）に案内されて、移動方向Ｄ１に往復移動する液体噴射ヘッド４が備えられる。
【００３５】
筐体２の背面側には、用紙などの記録媒体を載置する用紙サポート７が備えられる。用紙サポート７に載置された用紙（不図示）は、筐体２に備えられた給紙装置（不図示）によって筐体２の内部に給紙される。
【００３６】
筐体２の内部に給紙された用紙は、移動方向Ｄ１と交わる方向に搬送される。液体噴射ヘッド４は、移動方向Ｄ１に往復移動しながら、搬送される用紙に対してインクを噴射し、用紙に文字や画像を記録する。筐体２には、電源のオン・オフの操作や、印刷条件の設定を行う操作ボタン６が備えられる。
【００３７】
図１（ｂ）は、図１（ａ）のインクタンク１００を筐体２側から見た外観斜視図である。インクタンク１００は、貯留容器１２と、貯留容器１２を収容する収容ケース１０とを備える。貯留容器１２は、イエロー、マゼンタ、シアン、モノクロのインクをそれぞれインク色別に貯留する。
【００３８】
貯留容器１２の上部には、キャップ１３が備えられ、使用者は、キャップ１３を取り外し、上記インク色別のインクをそれぞれの貯留容器１２に注入することができる。
【００３９】
液体チューブ５は、インク色別に備えられた貯留容器１２の下部に接続されて、筐体２に設けられた貫通孔８を通り、液体噴射ヘッド４と連通する。上面カバー１１は、収容ケース１０の上部に回動支点Ａ２を有し、回動可能に備えられる。
【００４０】
筐体２は、下側の底部、背面側の側面と上部、移動方向Ｄ１における両側の側面と上部に形成されており、用紙が搬送される移動方向Ｄ１の範囲における上部と正面側が開口している。回動部としての記録装置カバー３は、背面側に回動支点Ａ１を有し、回動可能に備えられる。記録装置カバー３は、筐体２において開口している上部と正面側を覆うことができる。
【００４１】
図１（ｃ）は、フック１４が貫通孔２００に係合する部分を正面から見た断面図である。鉛直方向Ｄ２において、記録装置カバー３の上面３ａの位置は、筐体２の上端部２ａと同じ位置にあるか、または近接している。収容ケース１０の上部には、係合部としてのフック１４が設けられる。筐体２の上端部２ａにおける縁部には、被係合部としての貫通孔２００が形成されている。
【００４２】
フック１４は、収容ケース１０から突出する第１の突出部１４０と、第１の突出部１４０と接続して下側に突出する第２の突出部１４１を有する。第２の突出部１４１は、貫通孔２００に挿抜可能である。
【００４３】
これにより、フック１４と貫通孔２００とは、係合状態または非係合状態となることができる。従って、収容ケース１０を、筐体２に着脱可能に、筐体２の側面２ｂに沿って装着することができる。
【００４４】
以上、本実施形態で説明したプリンター１は、インクを噴射する液体噴射ヘッド４と、液体噴射ヘッド４が収容される筐体２とは別体に構成されて、フック１４を有し、インクを貯留する貯留容器１２が収容された収容ケース１０と、液体噴射ヘッド４と貯留容器１２とを連通する液体チューブ５と、鉛直方向Ｄ２における筐体２の上部に回動支点Ａ１が設けられて、回動する回動部としての記録装置カバー３と、鉛直方向Ｄ２における筐体２の上端部２ａにおける縁部に形成されて、フック１４と係合可能な被係合部としての貫通孔２００と、を備え、収容ケース１０は、筐体２に着脱可能に装着される。
【００４５】
この構成によれば、インクタンク１００を筐体２に装着し、筐体２とインクタンク１００とを一体化した状態で、持ち運ぶことができる。従って、筐体２とインクタンク１００とを、使用者が持ち運ぶときの作業が容易となる。
【００４６】
また、記録装置カバー３が筐体２の上部を覆う状態において、鉛直方向Ｄ２における記録装置カバー３の上面３ａは、筐体２の上端部２ａの位置にある。
【００４７】
これにより、貯留容器１２に充填されているインクの量が多く、重いインクタンク１００を、記録装置カバー３の上面３ａの位置にある筐体の上端部２ａで支持することができる。そのため、インクタンク１００を支持するための構成部分を筐体２の側面２ｂに形成する必要がないので、プリンターが大型化することを抑制したり、プリンターの製造コストが増加したりすることを抑制できる。
【００４８】
本実施形態の第１の突出部１４０、第２の突出部１４１は、移動方向Ｄ１から見て、断面が矩形状である板状に形成されているが、断面が円形状である棒状に形成されていてもよい。
【００４９】
また、インクタンク１００は、インクを貯留する貯留容器１２と貯留容器１２を収容する収容ケース１０とを備える。これにより、収容ケース１０によって剛性を高めることができるので、インクタンク１００が自重によって変形することを抑制できる。また、収容ケース１０によって貯留容器１２を覆うことができるので、貯留容器１２が外力により損傷することを抑制できる。
【００５０】
また、本実施形態では、インクタンク１００を筐体２における側面２ｂ側の上端部に備えたが、インクタンク１００を筐体２における正面や背面の上端部に備えてもよい。
【００５１】
（実施形態２）
実施形態１では、フック１４を用いてインクタンク１００を筐体２に装着したが、実施形態２では、ネジを介してインクタンクを筐体２に装着するプリンターについて説明する。
【００５２】
図２（ａ）は、実施形態２におけるプリンター１ａを正面側から見た外観斜視図である。図２（ｂ）は、図２（ａ）のインクタンク１００ａを筐体２側から見た外観斜視図である。インクタンク１００ａは、インクを貯留する貯留容器１２と貯留容器１２を収容する収容ケース１０ａとを備える。図２（ｃ）は、収容ケース１０ａに備えられた係合部１５が、ネジ３０を介して、ネジ穴２０１に係合する部分を正面から見た断面図である。
【００５３】
記録装置カバー３が筐体２の上部を覆う状態において、鉛直方向Ｄ２における記録装置カバー３の上面３ａの位置は、筐体２の上端部２ａと同じ位置にあるか、または近接している。収容ケース１０ａの上部には、係合部１５が設けられる。筐体２の上端部２ａにおける縁部には、被係合部としてのネジ穴２０１が形成されている。
【００５４】
係合部１５は、収容ケース１０ａから突出する突出部１５０を有し、突出部１５０には、ネジ３０が貫通する貫通孔１５１が形成されている。ネジ３０は、貫通孔１５１を貫通し、ネジ３０によって、突出部１５０とネジ穴２０１とを固定することができる。
【００５５】
これにより、係合部としての突出部１５０と被係合部としてのネジ穴２０１とは、ネジ３０を介して、係合状態または非係合状態となることができる。従って、収容ケース１０ａを、筐体２に着脱可能に、筐体２の側面２ｂに沿って装着することができる。
【００５６】
また、ネジ３０によって、突出部１５０とネジ穴２０１とを確実に固定できる。本実施形態の突出部１５０は、移動方向Ｄ１から見て、断面が矩形状である板状に形成されているが、断面が円形状である棒状に形成されていてもよい。プリンター１ａのその他の構成は、実施形態１で説明したプリンター１の構成と同じである。
【００５７】
（実施形態３）
実施形態１では、第１の突出部１４０と第２の突出部１４１を有するフック１４を用いてインクタンク１００を筐体２に装着したが、実施形態３では、さらに第２の突出部の先端に球形状の球状部を設けたフックを有するインクタンクについて説明する。
【００５８】
図３（ａ）は、実施形態３におけるプリンター１ｂを正面側から見た外観斜視図である。図３（ｂ）は、図３（ａ）のインクタンク１００ｂを筐体２側から見た外観斜視図である。インクタンク１００ｂは、インクを貯留する貯留容器１２と貯留容器１２を収容する収容ケース１０ｂとを備える。図３（ｃ）は、収容ケース１０ｂに備えられたフック１６が、貫通孔２０２に係合する部分を正面から見た断面図である。
【００５９】
記録装置カバー３が筐体２の上部を覆う状態において、鉛直方向Ｄ２における記録装置カバー３の上面３ａの位置は、筐体２の上端部２ａと同じ位置にあるか、または近接している。収容ケース１０ｂの上部には、係合部としてのフック１６が設けられる。筐体２の上端部２ａにおける縁部には、被係合部としての貫通孔２０２が形成されている。
【００６０】
フック１６は、収容ケース１０ｂから突出する第１の突出部１６０と、第１の突出部１６０と接続されて下側に突出する第２の突出部１６１と、第２の突出部１６１の先端に球形状の球状部１６２が形成されている。第２の突出部１６１と球状部１６２とは、貫通孔２０２を貫通する。
【００６１】
これにより、フック１６と貫通孔２０２とは、係合状態または非係合状態となることができる。従って、収容ケース１０ｂを、筐体２に着脱可能に、筐体２の側面２ｂに沿って装着することができる。
【００６２】
また、筐体２に対する収容ケース１０ｂの姿勢が変化しても、球状部１６２によって、フック１６と貫通孔２０２との係合状態を維持できる可能性が高い。また、第１の突出部１６０は、第２の突出部１６１より記録装置カバー３側にも形成されているので、図３（ｃ）において第２の突出部１６１側を回動支点として反時計方向に回動するように傾いても、第２の突出部１６１の先端が上端部２ａに当接し、フック１６と貫通孔２０２との係合状態を維持できる可能性が高い。
【００６３】
本実施形態の第１の突出部１６０、第２の突出部１６１は、移動方向Ｄ１から見て、断面が矩形状である板状に形成されているが、断面が円形状である棒状に形成されていてもよい。プリンター１ｂのその他の構成は、実施形態１で説明したプリンター１の構成と同じである。
【００６４】
（実施形態４）
実施形態１では、第１の突出部１４０と第２の突出部１４１を有するフック１４を用いてインクタンク１００を筐体２に装着したが、実施形態４では、さらに第３の突出部を有するフックを備えたインクタンクについて説明する。
【００６５】
図４（ａ）は、実施形態４におけるプリンター１ｃを正面側から見た外観斜視図である。図４（ｂ）は、図４（ａ）のインクタンク１００ｃを筐体２側から見た外観斜視図である。インクタンク１００ｃは、インクを貯留する貯留容器１２と貯留容器１２を収容する収容ケース１０ｃとを備える。図４（ｃ）は、収容ケース１０ｃに備えられたフック１７が、壁部２ｃに係合する部分を正面から見た断面図である。
【００６６】
記録装置カバー３が筐体２の上部を覆う状態において、鉛直方向Ｄ２における記録装置カバー３の上面３ａの位置は、筐体２の上端部２ａと同じ位置にあるか、または近接している。収容ケース１０ｃの上部には、係合部としてのフック１７が設けられる。筐体２の上端部２ａにおける縁部には、被係合部としての壁部２ｃが形成されている。壁部２ｃは、側面２ｂより突出している。
【００６７】
フック１７は、収容ケース１０ｃから突出する第１の突出部１７０と、第１の突出部１７０と接続されて下側に突出する第２の突出部１７１と、第２の突出部１７１と接続されて収容ケース１０ｃ側に突出する第３の突出部１７２とが形成されている。第１の突出部１７０と、第３の突出部１７２とは対向し、壁部２ｃを挟むことができる。
【００６８】
これにより、フック１７と壁部２ｃとは、係合状態または非係合状態となることができる。従って、収容ケース１０ｃを、筐体２に着脱可能に、筐体２の側面２ｂに沿って装着することができる。
【００６９】
また、筐体２に対する収容ケース１０ｃの姿勢が変化しても、第３の突出部１７２によって、フック１７と壁部２ｃとの係合状態を維持できる可能性が高い。本実施形態の第１の突出部１７０、第２の突出部１７１、第３の突出部１７２は、板状であるが、棒状でもよい。プリンター１ｃのその他の構成は、実施形態１で説明したプリンター１の構成と同じである。
【００７０】
（実施形態５）
実施形態５では、原稿に描かれた文字や画像を読み取るセンサーユニットを備えた記録装置について説明する。図５（ａ）は、実施形態５におけるプリンター４０を正面側から見た外観斜視図である。
【００７１】
筐体４１の内部には、軸やレールなどのガイド部（不図示）に案内されて、移動方向Ｄ１に往復移動する液体噴射ヘッド４２が備えられる。
【００７２】
筐体４１の背面側には、用紙などの記録媒体を載置する用紙サポート４６が備えられる。用紙サポート４６に載置された用紙（不図示）は、筐体４１に備えられた給紙装置（不図示）によって筐体４１の内部に給紙される。
【００７３】
筐体４１の内部に給紙された用紙は、移動方向Ｄ１と交わる方向に搬送される。液体噴射ヘッド４２は、移動方向Ｄ１に往復移動しながら、搬送経路４３に沿って搬送される用紙に対してインクを噴射し、用紙に文字や画像を記録する。
【００７４】
インクタンク１００ｄの収容ケース１０ｄには、実施形態１の図１（ｂ）を用いて説明した貯留容器が収容されている。液体チューブ４８は、筐体４１に設けられた開口部４７を通り、貯留容器と液体噴射ヘッド４２とを連通させる。
【００７５】
文字や画像が印刷された用紙は、筐体４１の正面側に形成された排出用開口部４４から排出される。筐体４１には、電源のオン・オフの操作や、印刷条件の設定を行う操作ボタン４５が備えられる。
【００７６】
筐体４１の内部における上側には、イメージセンサーが搭載されたセンサーユニット５０が移動方向Ｄ１に移動可能に備えられる。透明な部材によって形成された原稿台５１が、筐体４１の上部の開口部に備えられる。原稿台カバー５２が、筐体４１の上部における図面左側を回動支点Ａ３として回動可能に備えられる。
【００７７】
図５（ｂ）は、原稿台カバー５２が原稿台５１を覆う状態におけるプリンター４０の外観斜視図である。原稿台カバー５２が原稿台５１を覆う状態で、センサーユニット５０は、移動方向Ｄ１に移動しながら、原稿台５１に載置された原稿に描かれた文字や画像を読み取ることができる。
【００７８】
図５（ｃ）は、係合部１８がネジ３０を介してネジ穴４１０に係合する部分を正面から見た断面図である。収容ケース１０ｄの上側には、係合部１８が設けられる。原稿台カバー５２が筐体４１の上部に設けられた原稿台５１を覆う状態において、鉛直方向Ｄ２における原稿台カバー５２の下面５２ａ（図５（ａ）参照）の位置は、筐体４１の上端部４１ａと同じ位置にあるか、または近接している。筐体４１の上端部４１ａにおける縁部には、被係合部としてのネジ穴４１０が形成されている。
【００７９】
係合部１８は、収容ケース１０ｄから上側に突出する支持部１８０と、原稿台５１側に突出する突出部１８１とを有し、突出部１８１には、ネジ３０が貫通する貫通孔１８２が形成されている。ネジ３０は、貫通孔１８２を貫通し、ネジ３０によって、突出部１８１とネジ穴４１０とを固定することができる。
【００８０】
これにより、係合部１８とネジ穴４１０とは、ネジ３０を介して、係合状態または非係合状態となることができる。従って、収容ケース１０ｄを、筐体４１に着脱可能に、筐体４１の側面４１ｂに沿って装着することができる。
【００８１】
また、ネジ３０によって、突出部１８１とネジ穴４１０とを確実に固定できる。本実施形態の突出部１８１は、移動方向Ｄ１から見て、断面が矩形状である板状に形成されているが、断面が円形状である棒状に形成されていてもよい。また、本実施形態の支持部１８０は、鉛直方向Ｄ２から見て、断面が矩形状である板状に形成されているが、断面が円形状である棒状に形成されていてもよい。
【００８２】
また、原稿台カバー５２が原稿台５１を覆う状態において、上端部４１ａの位置は、原稿台カバー５２の下面５２ａの位置にある。これにより、貯留容器に充填されているインクの量が多く、重い貯留容器が収容された収容ケース１０ｄを、原稿台カバー５２の下面５２ａの位置にある筐体４１の上端部４１ａで支持することができる。そのため、収容ケース１０ｄを支持するための構成部分を筐体４１の側面４１ｂに形成する必要がないので、プリンターが大型化することを抑制したり、プリンターの製造コストが増加したりすることを抑制できる。
【００８３】
（実施形態６）
実施形態６では、原稿台カバーに切り欠き部が形成された記録装置について説明する。図６は、実施形態６におけるプリンター４０ａを正面側から見た外観斜視図である。筐体４１の上端部４１ａの縁部にネジ３０を介して係合する係合部１８によって、インクタンク１００ｄの収容ケース１０ｄが着脱可能に装着される。
【００８４】
図６に示すように、収容ケース１０ｄが筐体４１に装着された状態で、原稿台カバー５３が原稿台５１を覆う状態すなわち原稿台カバー５３が水平状態にあるとき、原稿台カバー５３が係合部１８に重ならないように切り欠き部５３ｂが形成されている。
【００８５】
これにより、原稿台カバー５３は、係合部１８と重ならないので、原稿台カバー５３の下面５３ａが筐体４１の上端部４１ａの位置になる。プリンター４０ａのその他の構成は、実施形態５で説明したプリンター４０の構成と同じである。
【００８６】
（実施形態７）
実施形態７では、画像を読み取るセンサーユニットを収容する筐体が、液体噴射ヘッドを収容する筐体とは、別体に設けられた記録装置について説明する。図７（ａ）は、実施形態７におけるプリンター６０を正面側から見た外観斜視図である。
【００８７】
画像を読み取るセンサーユニット７０を収容する読み取り部筐体７１が、液体噴射ヘッド６２を収容する筐体６１とは、別体に設けられる。読み取り部筐体７１は、筐体６１の背面側上部にヒンジ（不図示）などによって、矢印に示すように回動可能に備えられる。図７（ａ）は、読み取り部筐体７１が傾斜し、筐体６１の内部が露出する状態にある。
【００８８】
筐体６１の内部には、軸やレールなどのガイド部（不図示）に案内されて、移動方向Ｄ１に往復移動する液体噴射ヘッド６２が備えられる。
【００８９】
筐体６１の背面側には、用紙などの記録媒体を載置する用紙サポート６６が備えられる。用紙サポート６６に載置された用紙（不図示）は、筐体６１に備えられた給紙装置（不図示）によって筐体６１の内部に給紙される。
【００９０】
筐体６１の内部に給紙された用紙は、移動方向Ｄ１と交わる方向に搬送される。液体噴射ヘッド６２は、移動方向Ｄ１に往復移動しながら、搬送経路６３に沿って搬送される用紙に対してインクを噴射し、用紙に文字や画像を記録する。
【００９１】
インクタンク１００ｄの収容ケース１０ｄには、実施形態１の図１（ｂ）を用いて説明した貯留容器が収容されている。液体チューブ６８は、筐体６１に設けられた開口部６７を通り、貯留容器と液体噴射ヘッド６２とを連通させる。
【００９２】
文字や画像が印刷された用紙は、筐体６１の正面側に形成された排出用開口部６４から排出される。筐体６１には、電源のオン・オフの操作や、印刷条件の設定を行う操作ボタン６５が備えられる。
【００９３】
読み取り部筐体７１の内部には、イメージセンサーが搭載されたセンサーユニット７０が移動方向Ｄ１に移動可能に備えられる。原稿台カバー７２が原稿台（不図示）を覆う状態で、センサーユニット７０は、移動方向Ｄ１に移動しながら、原稿台に載置された原稿に描かれた文字や画像を読み取ることができる。
【００９４】
図７（ｂ）は、係合部１８がネジ３０を介してネジ穴６１０に係合する部分の断面図である。破線で示すように、読み取り部筐体７１が筐体６１を覆う状態にあるとき、鉛直方向Ｄ２における読み取り部筐体７１の下面７１ａ（図７（ａ）参照）の位置は、筐体６１の上端部６１ａと同じ位置にあるか、または近接している。筐体６１の上端部６１ａにおける縁部には、被係合部としてのネジ穴６１０が形成されている。
【００９５】
ネジ３０は、貫通孔１８２を貫通し、ネジ３０によって、突出部１８１とネジ穴６１０とを固定することができる。これにより、係合部１８とネジ穴６１０とは、ネジ３０を介して、係合状態または非係合状態となることができる。従って、収容ケース１０ｄを、筐体６１に着脱可能に、筐体６１の側面６１ｂに沿って装着することができる。
【００９６】
また、読み取り部筐体７１が筐体６１を覆う状態において、上端部６１ａの位置は、読み取り部筐体７１の下面７１ａの位置にある。これにより、貯留容器に充填されているインクの量が多く、重い貯留容器が収容された収容ケース１０ｄを、読み取り部筐体７１の下面７１ａの位置にある筐体６１の上端部６１ａで支持することができる。そのため、収容ケース１０ｄを支持するための構成部分を筐体６１の側面６１ｂに形成する必要がないので、プリンターが大型化することを抑制したり、プリンターの製造コストが増加したりすることを抑制できる。
【００９７】
（実施形態８）
図８（ａ）は、実施形態８におけるプリンター１ｄの外観斜視図である。インクタンク１００ｅの収容ケース１０ｅには、係合部１９が設けられ、プリンター１ｄの上端部２ａには、上端部２ａから鉛直方向Ｄ２上側に突出し、収容ケース１０ｅがプリンター１ｄに装着された状態における収容ケース１０ｅの幅方向Ｄ３に延びる柱状部材２０３が図示しないネジや接着剤などによって固定される。柱状部材２０３は、正面側から見た断面が矩形状である。係合部１９が柱状部材２０３に係合することにより、収容ケース１０ｅをプリンター１ｄに装着することができる。
【００９８】
図８（ｂ）は、収容ケース１０ｅの外観斜視図である。収容ケース１０ｅには、インク色別にインクが貯留される貯留容器２２が備えられる。貯留容器２２には、インクを注入するときに取り外すキャップ２１が備えられる。収容ケース１０ｅの上部には、上面カバー２０が回動可能に備えられる。上面カバー２０は、キャップ２１の上部を覆うことができる。貯留容器２２には、図８（ａ）の液体噴射ヘッド４と連通する液体チューブ５が接続される。
【００９９】
図８（ｃ）は、係合部１９が柱状部材２０３に係合する部分の断面図である。図８（ａ）の収容ケース１０ｅがプリンター１ｄに装着された状態において、図８（ｂ）、（ｃ）の係合部１９は、収容ケース１０ｅからプリンター１ｄ側に突出して収容ケース１０ｅの幅方向Ｄ３に延びる第１の板状部１９０と、第１の板状部１９０と接続され、鉛直方向Ｄ２下側に突出し、収容ケース１０ｅの幅方向Ｄ３に延びる第２の板状部１９１とを有する。
【０１００】
柱状部材２０３は、第２の板状部１９１と当接して係合可能な面２０３ａを有する。これにより、第２の板状部１９１と柱状部材２０３とは、係合状態または非係合の状態となる。従って、収容ケース１０ｅを、筐体２に着脱可能に、筐体２の側面２ｂに沿って装着することができる。プリンター１ｄのその他の構成は、実施形態１で説明したプリンター１の構成と同じである。
【０１０１】
本実施形態では、第２の板状部１９１と係合可能な面２０３ａは、上端部２ａの面に対して垂直方向に突出した平面であったが、被係合部は、上端部２ａの面に対して傾斜した面でもよい。
【０１０２】
図９（ａ）は、第２の板状部１９２が被係合部としての柱状部材２０４に係合する部分の断面図である。第２の板状部１９２は、第１の板状部１９０の先端部で接続され、上端部２ａの面に対して斜めに突出している。
【０１０３】
柱状部材２０４は、上端部２ａの面に対して傾斜する傾斜面２０４ａを有し、第２の板状部１９２は、傾斜面２０４ａと当接して係合可能である。これにより、筐体２に対する収容ケースの姿勢が変化しても、第２の板状部１９２と傾斜面２０４ａとの係合状態を維持できる。
【０１０４】
また、被係合部は、第２の板状部と係合可能な湾曲面を有してもよい。図９（ｂ）は、第２の板状部１９３が湾曲面２０５ａに係合する部分の断面図である。第２の板状部１９３は、第１の板状部１９０の先端部で接続され、鉛直方向Ｄ２下側に湾曲して突出している。
【０１０５】
柱状部材２０５は、側面２ｂと反対側に突出する湾曲面２０５ａを有し、第２の板状部１９３は、湾曲面２０５ａと当接して係合可能である。これにより、筐体２に対する収容ケースの姿勢が変化しても、第２の板状部１９３と湾曲面２０５ａとの係合状態を維持できる。
【０１０６】
また、凹状の湾曲面を有する柱状部材を上端部２ａに被係合部として備えてもよい。図１０（ａ）は、第２の板状部１９４が湾曲面２０６ａに係合する部分の断面図である。第２の板状部１９４は、第１の板状部１９０の先端部で接続され、先端側に幅方向Ｄ３に延びる円柱状部１９５が形成されている。
【０１０７】
柱状部材２０６は、凹状の湾曲面２０６ａを有し、円柱状部１９５は、湾曲面２０６ａと当接して係合可能である。これにより、筐体２に対する収容ケースの姿勢が変化しても、第２の板状部１９４と湾曲面２０６ａとの係合状態を維持できる。
【０１０８】
また、溝部が形成された柱状部材を被係合部として上端部２ａに備えてもよい。図１０（ｂ）は、第２の板状部１９１が溝部２０８に係合する部分の断面図である。柱状部材２０７には、溝部２０８が形成され、溝部２０８における面２０８ａは、第２の板状部１９１と係合可能である。これにより、筐体２に対する収容ケースの姿勢が変化しても、第２の板状部１９１と溝部２０８との係合状態を維持できる。
【０１０９】
（実施形態９）
図１１（ａ）は、実施形態９におけるプリンター１ｅの外観斜視図である。インクタンク１００ｆの収容ケース１０ｆには、係合部２３が設けられる。係合部２３が上端部２ａを形成する壁部に係合することにより、収容ケース１０ｆをプリンター１ｅに装着することができる。
【０１１０】
図１１（ｂ）は、収容ケース１０ｆの外観斜視図である。収容ケース１０ｆには、インク色別にインクが貯留される貯留容器２２、貯留容器２２にインクを注入するときに取り外すキャップ２１、キャップ２１の上部を覆うことが可能な上面カバー２０が備えられる。貯留容器２２には、図１１（ａ）の液体噴射ヘッド４と連通する液体チューブ５が接続される。
【０１１１】
図１１（ｃ）は、係合部２３が上端部２ａを形成する壁部２ｃに係合する部分の断面図である。図１１（ａ）の収容ケース１０ｆがプリンター１ｅに装着された状態において、図１１（ｂ）、（ｃ）の係合部２３は、収容ケース１０ｆからプリンター１ｅ側に突出し、収容ケース１０ｆの幅方向Ｄ３に延びる第１の板状部２３０と、第１の板状部２３０と接続され、鉛直方向Ｄ２下側に突出し、収容ケース１０ｆの幅方向Ｄ３に延びる第２の板状部２３１と、第２の板状部２３１と接続され、収容ケース１０ｆ側に突出し、収容ケース１０ｆの幅方向Ｄ３に延びる第３の板状部２３２とを有する。
【０１１２】
第１の板状部２３０と、第３の板状部２３２とは対向し、壁部２ｃを挟むことができる。これにより、係合部２３と壁部２ｃとは、係合状態または非係合の状態となることができる。従って、収容ケース１０ｆを、筐体２に着脱可能に、筐体２の側面２ｂに沿って装着することができる。
【０１１３】
また、筐体２に対する収容ケース１０ｆの姿勢が変化しても、第３の板状部２３２によって、係合部２３と壁部２ｃとの係合状態を維持できる可能性が高い。プリンター１ｅのその他の構成は、実施形態１で説明したプリンター１の構成と同じである。
【０１１４】
（実施形態１０）
図１２は、実施形態１０におけるプリンターを正面側から見た斜視図である。プリンター１ｆの側面２ｂには、インクタンク１００ｇが装着される。実施形態１の図１（ｂ）を用いて説明した貯留容器を収容する収容ケース１０ｇが、一方の面が粘着性を有する帯状部材３１によって固定される。
【０１１５】
収容ケース１０ｇに収容された貯留容器と液体噴射ヘッド４とは、筐体２に設けられた貫通孔８を通る液体チューブ５によって連通される。
【０１１６】
帯状部材３１を収容ケース１０ｇから取り除くことにより、収容ケース１０ｇを筐体２から取り外すことができる。
【０１１７】
実施形態１から実施形態１０では、インクタンクは、インクを貯留する貯留容器と貯留容器を収容する収容ケースとを備えたが、貯留容器と収容ケースとを一体に形成したインクタンクも適用する。
【符号の説明】
【０１１８】
１，１ａ〜１ｆ，４０，４０ａ，６０…プリンター、２，４１，６１…筐体、２ａ，４１ａ，６１ａ…上端部、２ｃ…壁部、３…記録装置カバー、３ａ…上面、４，４２，６２…液体噴射ヘッド、５，４８，６８…液体チューブ、１０，１０ａ〜１０ｇ…収容ケース、１２，２２…貯留容器、１４，１６，１７…フック、１５，１８…係合部、３０…ネジ、５０，７０…センサーユニット、５１…原稿台、５２，５３，７２…原稿台カバー、５２ａ，５３ａ，７１ａ…下面、５３ｂ…切り欠き部、７１…読み取り部筐体、１００，１００ａ〜１００ｇ…インクタンク、１４０，１６０，１７０…第１の突出部、１４１，１６１，１７１…第２の突出部、１５０，１８１…突出部、１５１…貫通孔、１６２…球状部、１７２…第３の突出部、１８２，２００，２０２…貫通孔、１９０，２３０…第１の板状部、１９１〜１９４，２３１…第２の板状部、２０４ａ…傾斜面、２０６ａ…湾曲面、２３２…第３の板状部、２０１，４１０，６１０…ネジ穴、Ａ１，Ａ２，Ａ３…回動支点、Ｄ２…鉛直方向、Ｄ３…幅方向。
【図１】
0005994360.tif 000002
【図２】
0005994360.tif 000003
【図３】
0005994360.tif 000004
【図４】
0005994360.tif 000005
【図５】
0005994360.tif 000006
【図６】
0005994360.tif 000007
【図７】
0005994360.tif 000008
【図８】
0005994360.tif 000009
【図９】
0005994360.tif 000010
【図１０】
0005994360.tif 000011
【図１１】
0005994360.tif 000012
【図１２】
0005994360.tif 000013